(57)【要約】【課題】電線の束を屈曲させて布線した後直線状に曲げ戻す布線作業において、曲げ戻した電線の一部が膨らんだりすることなく、各電線が略同一の長さとなるようにする。【解決手段】布線用治具１の保持部３を、電線１０の一本分の幅と、上方から電線１０の全てが垂直方向に重なる状態で収容可能な深さとを有する溝４を備えたものとして、当該溝４により電線１０を一本ずつ縦に積み重ねて保持可能とした。これにより、電線１０が全て同じ屈曲半径で屈曲するため、電線１０の束を屈曲させて布線作業を行っても曲げ戻した電線１０の束の一部が膨らんだりせず、各電線１０が略同一の長さとなる。よって、設計通りのワイヤハーネスが得られる。【選択図】図３
2010108641.tif 000002
【特許請求の範囲】
【請求項１】
布線板に立設され、上端に電線の束を略水平に保持する保持部を備えたワイヤハーネスの布線用治具であって、
前記保持部を、前記電線の略一本分の幅と、上方から前記電線の全てが垂直方向に重なる状態で収容可能な深さとを有する溝を備えたものとして、前記溝により前記電線を一本ずつ縦に積み重ねて保持可能としたことを特徴とするワイヤハーネスの布線用治具。
【請求項２】
布線板上に立設した布線用治具を用いて電線の束を前記布線板と略平行に屈曲させた状態で保持し、布線作業を行った後、前記電線の束を前記布線用治具から取り外し、前記屈曲部分を伸ばして直線状に戻すワイヤハーネスの製造方法であって、
前記布線用治具に請求項１に記載の布線用治具を用い、前記電線を前記布線用治具の保持部の溝に上方から一本ずつ挿入して前記溝内で縦に積み重ねた後、前記電線の束を屈曲させることを特徴とするワイヤハーネスの製造方法。
【発明の詳細な説明】
【技術分野】
【０００１】
本発明は、自動車用のワイヤハーネスの製造工程において、電線の布線の際に電線を保持するために用いる布線用治具と、その布線用治具を用いたワイヤハーネスの製造方法とに関する。
【背景技術】
【０００２】
自動車のワイヤハーネスの製造工程において、電線の布線板には、電線を布線板上で略水平に保持するための布線用治具が立設されている。この布線用治具としては、布線板に立設される支軸の上部に、Ｕ字状や放射状に分岐した電線受け部を設けたものが知られている（特許文献１〜３参照）。
特に布線作業では、車載時には直線状にワイヤハーネスを配置する場合であっても、布線板の大型化を抑制して布線に係る作業性を良好とするために、図７に示すように、電線１０の束を布線治具２０を利用して屈曲させた状態で作業を行い、布線作業の終了後に直線状に戻すことがよく行われている。
【０００３】
【特許文献１】特開２００２−４２５８６号公報
【特許文献２】特開２０００−６７６６８号公報
【特許文献３】特開平５−２５０９３６号公報
【発明の開示】
【発明が解決しようとする課題】
【０００４】
電線の束の屈曲に上記布線用治具２０を用いる場合、屈曲させた電線１０の束における布線用治具２０の両側部位をテープ２１によって巻回固定し、さらに結束バンド２２で固定して、電線１０の屈曲部が布線用治具２０からずれない状態として布線作業を行う。布線作業が終了すると、布線用治具２０から電線１０の束を抜き取って直線状に戻すことでワイヤハーネスの製造が終了する。
しかし、このように電線を布線作業の際に一旦屈曲させるため、屈曲部では、屈曲半径に相違が生じて、電線１０ごとに結束バンド間の長さが異なることになる。これを曲げ戻して直線状にすると、結束バンド２２，２２間の長さが短い電線１０は直線状になるが、長さが長い電線１０は膨らんだ状態になってしまう。すなわち、結束バンド２２，２２間の電線１０の長さを全て同じとして設計したにもかかわらず、設計通りの寸法とならないことになる。
【０００５】
そこで、本発明は、電線の束を屈曲させて布線した後直線状に曲げ戻す布線作業において、曲げ戻した電線の一部が膨らんだりすることなく、各電線が略同一の長さとなるワイヤハーネスの布線用治具と、当該布線用治具を用いたワイヤハーネスの製造方法とを提供することを目的とするものである。
【課題を解決するための手段】
【０００６】
上記目的を達成するために、請求項１に記載の発明は、布線板に立設され、上端に電線の束を略水平に保持する保持部を備えたワイヤハーネスの布線用治具であって、保持部を、電線の略一本分の幅と、上方から電線の全てが垂直方向に重なる状態で収容可能な深さとを有する溝を備えたものとして、当該溝により電線を一本ずつ縦に積み重ねて保持可能としたことを特徴とする。
ここで、「電線の略一本分の幅」とは、電線一本のみの挿入を許容する趣旨であって、電線一本分の幅を含むことは勿論、それよりやや大きい幅であっても電線二本が並んで挿入できない寸法であればそれも含まれる。
上記目的を達成するために、請求項２に記載の発明は、布線板上に立設した布線用治具を用いて電線の束を布線板と略平行に屈曲させた状態で保持し、布線作業を行った後、電線の束を布線用治具から取り外し、屈曲部分を伸ばして直線状に戻すワイヤハーネスの製造方法であって、布線用治具に請求項１に記載の布線用治具を用い、電線を当該布線用治具の保持部の溝に上方から一本ずつ挿入して溝内で縦に積み重ねた後、電線の束を屈曲させることを特徴とする。
ここで、「略平行」とは、布線板と正確な平行を含み、それよりも僅かに傾斜して誤差があるような場合も含まれる。
【発明の効果】
【０００７】
本発明によれば、電線が全て同じ屈曲半径で屈曲するため、電線の束を屈曲させて布線作業を行っても、曲げ戻した電線の一部が膨らんだりせず、各電線が略同一の長さとなる。よって、直線状に戻したワイヤハーネスの寸法に誤差やばらつきがなくなり、設計通りのワイヤハーネスが得られる。
【発明を実施するための最良の形態】
【０００８】
以下、本発明の実施の形態を図面に基づいて説明する。
図１は、布線用治具の一例を示す説明図で、布線用治具１は、図示しない布線板上に立設されるシャフト２と、そのシャフト２の上端に連結される保持部３とを有してなる。この保持部３は合成樹脂製のブロックで、中央には、上端から保持部３の途中まで垂直方向に溝４が形成されている。この溝４は、布線される電線１０の一本分の幅を有し、且つ全ての電線１０が垂直方向に重なる状態で収容可能な深さで形成されている。
【０００９】
よって、この布線用治具１を用いてワイヤハーネスの製造を行う場合、図２（Ａ）に示すように、保持部３の上方で溝４と平行に電線１０，１０・・の束を保持し、同図（Ｂ）に示すように、溝４に電線１０を一本ずつ上から重ねるように挿入する。すると、電線１０，１０・・の束は、各電線１０が溝４内で一本ずつ縦に積み重ねられるフラット状に保持される。
【００１０】
この状態で、同図（Ｃ）のように、溝４を通過した電線１０の束の一方側を保持部３の表面に沿って略９０°横向きに（布線板と略平行に）屈曲させる。このとき、各電線１０は全て溝４の開口際の端縁に当接して同じ屈曲半径で屈曲することになる。そして、同図（Ｄ）のように、布線用治具１の前後部位をテープ１１によって巻回固定すると共に、結束バンド１２によって固定する。すると、図３にも示すように、電線１０の束が布線用治具１の位置で屈曲した状態で固定されるため、そのまま布線作業が行える。
【００１１】
布線作業終了後、電線１０の束を溝４から上方へ抜き取って布線用治具１から取り外し、両端のテープ１１の部分を引っ張るようにして直線状に戻せば、直線状のワイヤハーネスが得られる。このとき、各電線１０は同じ屈曲半径で屈曲させた状態から直線状に戻っているため、曲げ戻した電線１０の束の一部が膨らんだりせず、各電線１０が略同一の長さとなる。
【００１２】
このように、上記形態の布線用治具１及びワイヤハーネスの製造方法によれば、保持部３を、電線１０の一本分の幅と、上方から電線１０の全てが垂直方向に重なる状態で収容可能な深さとを有する溝４を備えたものとして、当該溝４により電線１０を一本ずつ縦に積み重ねて保持可能としたことで、電線１０が全て同じ屈曲半径で屈曲するため、電線１０の束を屈曲させて布線作業を行っても、曲げ戻した電線１０の束の一部が膨らんだりせず、各電線１０が略同一の長さとなる。よって、直線状に戻したワイヤハーネスの寸法に誤差やばらつきがなくなり、設計通りのワイヤハーネスが得られる。
【００１３】
なお、布線用治具の溝の幅や深さは、使用する電線の径に合わせて適宜設定すればよい。具体的には、保持部については、材質はジュラコン等、寸法は長さ１０〜５０ｍｍ、幅１０〜１００ｍｍ、高さ２０〜１５０ｍｍ程度である。また、溝は幅１〜１０ｍｍ、高さ１０〜１００ｍｍ程度である。電線は外径１〜１０ｍｍ程度が使用される。
但し、溝の幅においては、電線径より約１ｍｍ程度大きい寸法とすれば、電線の挿入がし易くなる。また、溝の深さも、深すぎると電線の出し入れがしにくく、逆に浅すぎると最上位置の電線が溝から脱却するおそれが生じるため、全電線を溝に保持させた状態で最上位置の電線の上端と溝の上端との間に電線一本分程度（溝の幅寸法程度）の余裕が残る設定とするのが望ましい。
【００１４】
さらに、溝自体の形状も上記形態に限らない。例えば図４に示すように、保持部３に設ける溝４の前後の開口際に、溝４が外へ向かって広がる面取部５，５を夫々設けたり、図５に示すように丸み（アール）６，６を設けたりしてもよい。このようにすれば、屈曲部分での電線へのストレスが小さくなる。
加えて、保持部は上記形態のようなブロックに限らず、図６に示すように、保持部３を、丸棒７を二つ折りにしてその間に形成される溝８が電線一本分の幅となるＵ字状とすることも可能である。勿論丸棒に限らず、帯板を二つ折りにしたＵ字状としたりしてもよい。
【図面の簡単な説明】
【００１５】
【図１】布線用治具の斜視図である。
【図２】（Ａ）〜（Ｄ）はワイヤハーネスの製造方法の手順を示す説明図である。
【図３】布線用治具に電線の束を保持させた状態を示す斜視図である。
【図４】布線用治具の変更例を示す斜視図である。
【図５】布線用治具の変更例を示す斜視図である。
【図６】布線用治具の変更例を示す斜視図である。
【図７】従来の布線用治具を用いて電線の束を保持させた状態を示す斜視図である。
【符号の説明】
【００１６】
１・・布線用治具、２・・シャフト、３・・保持部、４，８・・溝、５・・面取部、６・・丸み、７・・丸棒、１０・・電線、１１・・テープ、１２・・結束バンド。
【図１】
2010108641.tif 000003
【図２】
2010108641.tif 000004
【図３】
2010108641.tif 000005
【図４】
2010108641.tif 000006
【図５】
2010108641.tif 000007
【図６】
2010108641.tif 000008
【図７】
2010108641.tif 000009